(57)【要約】【課題】検索対象物の位置が変更されても、検索対象物の以前の位置から現在位置を求めることを可能にする。【解決手段】端末装置１２の入力部３１の操作により各検索対象物の旧位置を示す旧地図の表示を要求し、情報処理装置１１側で各検索対象物の旧位置を印した旧地図を作成し、端末装置１２の表示部３２の画面に旧地図を表示させる。端末装置１２の入力部３１の操作により検索対象物を旧地図上で指示し、検索対象物のＩＤを端末装置１２から情報処理装置１１へと通知する。情報処理装置１１で検索対象物のＩＤを受け取り、情報処理装置１１側で検索対象物の現在位置を印した現在地図を作成し、端末装置１２の表示部３２の画面に検索対象物の現在位置を印した現在地図を表示させる。【選択図】図１
2004287568.tif 000002
【特許請求の範囲】
【請求項１】
検索対象物の第１位置を示す第１位置情報を記憶する第１位置情報記憶手段と、
検索対象物の第２位置を示す第２位置情報を記憶する第２位置情報記憶手段と、
第１位置情報記憶手段内の第１位置情報を用いて、検索対象物の第１位置を印した地図を表示する第１位置表示手段と、
表示された地図上で検索対象物を指示する指示手段と、
指示された検索対象物の第２位置を示す第２位置情報を第２位置情報記憶手段から検索する第２位置情報検索手段と、
検索された第２位置情報を用いて、検索対象物の第２位置を印した地図を表示する第２位置表示手段と
を備えることを特徴とする位置検索システム。
【請求項２】
検索対象物の属性情報を記憶する属性情報記憶手段と、
指示手段により指示された検索対象物の属性情報を属性情報記憶手段から検索して表示する属性情報検索表示手段と
を備えることを特徴とする請求項１に記載の位置検索システム。
【請求項３】
キーワードを入力する入力手段と、
入力されたキーワードと属性情報記憶手段内の属性情報を照合して、該キーワードに該当する属性情報を検索するキーワード検索手段と、
検索された属性情報のリストを表示するリスト表示手段とを備え、
リスト上の属性情報を有する検索対象物の第１もしくは第２位置情報を第１もしくは第２位置情報記憶手段から検索して表示することを特徴とする請求項１に記載の位置検索システム。
【発明の詳細な説明】
【０００１】
【発明の属する技術分野】
本発明は、検索対象物の位置を検索して表示するための位置検索システムに関する。
【０００２】
【従来の技術】
この種の従来のシステムとしては、例えば図５に示す様なものがある。このシステムでは、情報処理装置１０１及び利用者側の端末装置１０２を備え、各装置１０１，１０２を通信回線１０３を通じて接続している。
【０００３】
情報処理装置１０１は、各検索対象物の現在位置を示すそれぞれの位置情報と該各検索対象物のＩＤを対応付けて記憶する位置情報記憶部１１１と、各検索対象物の名称、テキスト、及び画像等を示すそれぞれの属性情報と該各検索対象物のＩＤを対応付けて記憶する属性情報記憶部１１２と、利用者側の端末装置１０２からの要求や指示等を解釈し、位置情報や属性情報を位置情報記憶部１１１及び属性情報記憶部１１２から検索したり、端末装置１０２との通信を制御したりする検索処理部１１３とを備えている。
【０００４】
利用者側の端末装置１０２は、利用者の要求や指示等を操作入力するための入力部１２１と、情報処理装置１０１からの情報等を画面に表示する表示部１２２と、各種の演算処理を行なったり、情報処理装置１０１との通信を制御したりする制御処理部１２３とを備えている。
【０００５】
この様な構成において、まず端末装置１０２の入力部１２１の操作により属性情報のリストの表示が要求されると、この表示要求が制御処理部１２３から情報処理装置１０１の検索処理部１１３に通知される。これに応答して検索処理部１１３は、属性情報記憶部１１２内の各検索対象物の属性情報及びＩＤを端末装置１０２の制御処理部１２３に通知する。制御処理部１２３は、各属性情報を用いて、属性情報のリストを作成し、図６（ａ）に示す様なリスト１４１を表示部１２２の画面に表示する。このリスト１４１は、各検索対象物の「管理書棚名」、「内容」、「管理者」、「部門」等を並べたものである。
【０００６】
引き続いて、端末装置１０２の入力部１２１の操作によりリスト１４１上のいずれかの検索対象物が指示されると、この指示された検索対象物のＩＤが制御処理部１２３から情報処理装置１０１の検索処理部１１３に通知される。これに応答して検索処理部１１３は、検索対象物のＩＤに対応する位置情報を位置情報記憶部１１１から検索し、この位置情報によって示される検索対象物の現在位置を印した地図を作成して、この地図を端末装置１０２の制御処理部１２３に通知する。制御処理部１２３は、図６（ｂ）に示す様な地図１４２を表示部１２２の画面に表示させる。この地図１４２は、各書棚や各机の配置を表わすものであり、検索対象物の書棚Ｃの濃度を濃くすることによりその現在位置を印している。
【０００７】
一方、地図上の位置を指示して、この位置の検索対象物の属性情報を知ることもできる。この場合は、まず端末装置１０２の入力部１２１の操作により地図の表示が要求され、この表示要求が制御処理部１２３から情報処理装置１０１の検索処理部１１３に通知される。これに応答して検索処理部１１３は、位置情報記憶部１１１内の各検索対象物の位置情報を用いて、各検索対象物の配置を示す地図を作成し、この地図を各検索対象物のＩＤと共に端末装置１０２の制御処理部１２３に通知する。制御処理部１２３は、図７（ａ）に示す様な地図１４３を表示部１２２の画面に表示させる。この地図１４３は、各書棚や各机の配置を表わすものである。
【０００８】
引き続いて、端末装置１０２の入力部１２１の操作によりいずれかの検索対象物が地図１４３上で指示されると、この指示された検索対象物のＩＤが制御処理部１２３から情報処理装置１０１の検索処理部１１３に通知される。これに応答して検索処理部１１３は、検索対象物のＩＤに対応する属性情報を属性情報記憶部１１２から検索し、この属性情報を端末装置１０２の制御処理部１２３に通知する。制御処理部１２３は、図７（ｂ）に示す様な属性情報１４４を表示部１２２の画面に表示させる。この属性情報１４４は、例えば検索対象物の「管理書棚名」、「管理部門」、「管理者」、「内容」、「廃棄予定」、「備考」等を示すものである。
【０００９】
尚、地図上の位置を指示して、この位置の検索対象物の属性情報等を表示するという技術は、例えば特許文献１にも開示されている。
【００１０】
【特許文献１】
特開平１０−５５３６８号公報
【００１１】
【発明が解決しようとする課題】
ところで、上記従来のシステムにおいては、検索対象物の位置が変更されたときには、位置情報記憶部１１１の検索対象物の位置を更新する必要がある。
【００１２】
しかしながら、位置情報記憶部１１１の検索対象物の位置が更新されたにもかかわらず、利用者が検索対象物の位置の変更を知らないこともある。この場合、利用者は、検索対象物の以前の位置を地図上で指示しても、この検索対象物の属性情報を得ることができない。
【００１３】
また、地図上の位置を指示して、この位置の検索対象物の属性情報を知ろうとすることは、検索対象物の属性情報を知らないことでもある。このため、属性情報のリストを表示したとしても、このリストから所望の検索対象物を選択して指示することは困難である。
【００１４】
この様に検索対象物の位置が変更された場合は、所望の検索対象物の属性情報を得ることができなくなった。例えば、検索対象物を書棚から他の書棚に移した場合は、以前の書棚を地図上で指示しても、この検索対象物の属性情報を得ることができなくなった。
【００１５】
そこで、本発明は、上記従来の問題点に鑑みてなされたものであり、検索対象物の位置が変更されても、検索対象物の以前の位置から現在位置を求めることが可能な位置検索システムを提供することを目的とする。
【００１６】
【課題を解決するための手段】
上記課題を解決するために、本発明の位置検索システムは、検索対象物の第１位置を示す第１位置情報を記憶する第１位置情報記憶手段と、検索対象物の第２位置を示す第２位置情報を記憶する第２位置情報記憶手段と、第１位置情報記憶手段内の第１位置情報を用いて、検索対象物の第１位置を印した地図を表示する第１位置表示手段と、表示された地図上で検索対象物を指示する指示手段と、指示された検索対象物の第２位置を示す第２位置情報を第２位置情報記憶手段から検索する第２位置情報検索手段と、検索された第２位置情報を用いて、検索対象物の第２位置を印した地図を表示する第２位置表示手段とを備えている。
【００１７】
この様な構成の本発明によれば、検索対象物の第１位置を印した地図を表示し、この地図上で検索対象物が指示されると検索対象物の第２位置を検索して、検索対象物の第２位置を印した地図を表示する。このため、検索対象物の第１位置として、以前の位置を第１位置情報記憶手段に記憶させ、検索対象物の第２位置として、現在位置を第２位置記憶手段に記憶させておけば、検索対象物の以前の位置を印した地図上で検索対象物を指示することにより、検索対象物の現在位置を印した地図を表示させることができる。すなわち、検索対象物の位置が変更されても、検索対象物の以前の位置から現在位置を求めることができる。
【００１８】
また、本発明においては、検索対象物の属性情報を記憶する属性情報記憶手段と、指示手段により指示された検索対象物の属性情報を属性情報記憶手段から検索して表示する属性情報検索表示手段とを備えている。
【００１９】
この様に指示された検索対象物の属性情報を検索し表示しても良い。
【００２０】
更に、本発明においては、キーワードを入力する入力手段と、入力されたキーワードと属性情報記憶手段内の属性情報を照合して、該キーワードに該当する属性情報を検索するキーワード検索手段と、検索された属性情報のリストを表示するリスト表示手段とを備え、リスト上の属性情報を有する検索対象物の第１もしくは第２位置情報を第１もしくは第２位置情報記憶手段から検索して表示している。
【００２１】
この様にキーワードに該当する属性情報を検索して、検索された属性情報のリストを表示し、リスト上の属性情報を有する検索対象物の第１もしくは第２位置情報を表示すれば、キーワードに該当する複数の検索対象物を一度に検索することができ、検索効率を向上させることができる。
【００２２】
【発明の実施の形態】
以下、本発明の実施形態を添付図面を参照して詳細に説明する。
【００２３】
図１は、本発明の位置検索システムの第１実施形態を示すブロック図である。本実施形態のシステムでは、情報処理装置１１及び利用者側の端末装置１２を備え、各装置１１，１２を通信回線１３を通じて接続している。
【００２４】
情報処理装置１１は、各検索対象物の以前の位置（以下旧位置と称する）を示すそれぞれの第１位置情報と該各検索対象物のＩＤを対応付けて記憶する第１位置情報記憶部２１と、各検索対象物の現在位置を示すそれぞれの第２位置情報と該各検索対象物のＩＤを対応付けて記憶する第２位置情報記憶部２２と、各検索対象物の名称、キーワード、及び画像等を示すそれぞれの属性情報と該各検索対象物のＩＤを対応付けて記憶する属性情報記憶部２３と、利用者側の端末装置１２からの要求や指示等を解釈し、第１及び第２位置情報（旧位置及び現在位置）や属性情報を第１及び第２位置情報記憶部２１，２２や属性情報記憶部２３から検索したり、端末装置１２との通信を制御したりする検索処理部２４とを備えている。
【００２５】
利用者側の端末装置１２は、利用者の要求や指示等を操作入力するための入力部３１と、情報処理装置１１からの情報等を画面に表示する表示部３２と、各種の演算処理を行なったり、情報処理装置１１との通信を制御したりする制御処理部３３とを備えている。
【００２６】
次に、本実施形態のシステムによる処理過程を旧地図表示工程、検索対象物指示工程、及び現在地図表示工程別に順次説明する。
【００２７】
まず、旧地図表示工程Ｓ１−１において、利用者は、端末装置１２の入力部３１の操作により検索対象物の旧位置を示す旧地図の表示を要求する。
【００２８】
旧地図表示工程Ｓ１−２において、制御処理部３３は、この旧地図の表示要求を情報処理装置１１の検索処理部２４に通知する。
【００２９】
旧地図表示工程Ｓ１−３において、検索処理部２４は、端末装置１２からの表示要求に応答して、第１位置情報記憶部２１内の各検索対象物の旧位置及びＩＤを読み出し、各検索対象物の旧位置を用いて、各検索対象物の旧位置を印した旧地図を作成し、この旧地図を各検索対象物のＩＤと共に端末装置１２の制御処理部３３に通知する。
【００３０】
旧地図表示工程Ｓ１−４において、制御処理部３３は、図２（ａ）に示す様な各検索対象物の旧位置を印した旧地図４１を表示部３２の画面に表示させる。この旧地図４１は、各検索対象物（各書棚や各机）の以前の配置を表わすものである。
【００３１】
次に、検索対象物指示工程Ｓ２−１において、利用者は、端末装置１２の入力部３１の操作により少なくとも１つの検索対象物を旧地図４１上で指示する。例えば、入力部３１は、マウス、カーソルキー、タッチパネル等のうちの少なくとも１つを有しており、旧地図４１上の位置や部分を指示することができる。マウスやカーソルキーを用いる場合は、旧地図４１上でポインタを移動させて、ポインタにより位置や部分を指示する。例えば、図２（ａ）に示す様にポインタＰにより書棚Ｃを旧地図４１上で指示する。
【００３２】
検索対象物指示工程Ｓ２−２において、制御処理部３３は、この指示された検索対象物のＩＤを情報処理装置１１の検索処理部２４に通知する。このとき、指示された検索対象物のＩＤの代わりに、指示された検索対象物の旧位置を情報処理装置１１の検索処理部２４に通知しても構わない。
【００３３】
次に、現在地図表示工程Ｓ３−１において、検索処理部２４は、検索対象物のＩＤを受け取る。
【００３４】
尚、検索対象物のＩＤの代わりに、検索対象物の旧位置を受け取った場合、検索処理部２４は、受け取った該旧位置に一致する第１位置情報記憶部２１内の検索対象物の旧位置を検索して、この検索対象物のＩＤを求める。
【００３５】
現在地図表示工程Ｓ３−２において、検索処理部２４は、検索対象物のＩＤに対応する現在位置を第２位置情報記憶部２２から検索し、検索対象物の現在位置を用いて、検索対象物の現在位置を印した現在地図を作成し、この現在地図を検索対象物のＩＤと共に端末装置１２の制御処理部３３に通知する。このとき、現在地図と共に、周辺の情報を情報処理装置１１から端末装置１２に通知しても良い。周辺の情報としては、検査対象物を収容している容器、室、建物等である。
【００３６】
現在地図表示工程Ｓ３−３において、制御処理部３３は、図２（ｂ）に示す様な検索対象物の現在位置を印した現在地図４２を表示部３２の画面に表示させる。このとき、現在地図４２と共に、検査対象物を収容している容器、室、建物等を示す周辺の情報を受け取ったならば、この周辺の情報も表示部３２の画面に表示しても構わない。現在地図４２は、各書棚や各机の現在の配置を表わすものであり、検索対象物の書棚Ｃの濃度を濃くすることによりその現在位置を印したものである。
【００３７】
この様に本実施形態のシステムでは、検索対象物の旧位置を印した旧地図を表示し、この旧地図上で検索対象物を指示すると、検索対象物の現在位置を検索して、検索対象物の現在位置を印した現在地図を表示している。このため、検索対象物の位置が変更されても、旧地図上で検索対象物の変更前の旧位置を指示すれば、現在地図上で検索対象物の現在位置を知ることができる。
【００３８】
また、検索対象物の名称やキーワード等の文字情報の入力を一切必要とせず、視覚的な認識による地図上の位置指定だけで、検索対象物の現在位置を知ることができ、利用者にとっては、直感的で分かりやすい入力操作であって利用し易い。また、文盲者、幼児、外国人等であっても、利用することができる。
【００３９】
次に、本発明の位置検索システムの第２実施形態による処理過程を旧地図表示工程、検索対象物指示工程、及び現在地図表示工程別に順次説明する。尚、第２実施形態の位置検索システムは、図１の構成を有する。
【００４０】
本実施形態のシステムでは、旧地図表示工程及び現在地図表示工程が図１のシステムと同様であり、検索対象物指示工程が図１のシステムとは異なる。このため、旧地図表示工程及び現在地図表示工程の説明を簡単化している。
【００４１】
まず、旧地図表示工程は、先に述べた旧地図表示工程Ｓ１−１〜Ｓ１−４からなり、端末装置１２の入力部３１の操作により各検索対象物の旧位置を示す旧地図の表示を要求し、情報処理装置１１側で各検索対象物の旧位置を印した旧地図を作成し、端末装置１２の表示部３２の画面に各検索対象物の旧位置を印した旧地図４１を表示させる。
【００４２】
次に、検索対象物指示工程Ｓ２Ａ−１において、利用者は、端末装置１２の入力部３１の操作により少なくとも１つの検索対象物を旧地図４１上で指示し、検索対象物の属性情報を要求する。例えば、図２（ａ）に示す様にポインタＰにより書棚Ｃを指示して、書棚Ｃの属性情報を要求する。
【００４３】
検索対象物指示工程Ｓ２Ａ−２において、制御処理部３３は、この指示された検索対象物のＩＤ及び属性情報の要求を情報処理装置１１の検索処理部２４に通知する。これに応答して検索処理部２４は、検索対象物のＩＤに対応する属性情報を属性情報記憶部２３から検索し、この属性情報を端末装置１２の制御処理部３３に通知する。制御処理部３３は、図２（ｃ）に示す様な属性情報４３を表示部３２の画面に表示させる。この属性情報４３は、検索対象物の「管理書棚名」、「管理部門」、「管理者」、「内容」、「現在位置」等を示すものである。
【００４４】
尚、旧地図表示工程Ｓ１−３において、旧地図４１を各検索対象物のＩＤと共に情報処理装置１１から端末装置１２へと通知すると同時に、属性情報記憶部２３内の各検索対象物の属性情報を情報処理装置１１から端末装置１２へと通知して、各検索対象物の属性情報を端末装置１２側で記憶して保管しておき、検索対象物指示工程Ｓ２Ａ−２において、指示された検索対象物の属性情報４３を表示部３２の画面に表示しても構わない。
【００４５】
検索対象物指示工程Ｓ２Ａ−３において、利用者は、端末装置１２の入力部３１の操作によりポインタＰを移動させて、表示部３２の画面上の属性情報４３における「現在位置」というボタンを指示する。
【００４６】
検索対象物指示工程Ｓ２Ａ−４において、制御処理部３３は、この指示された検索対象物のＩＤを情報処理装置１１の検索処理部２４に通知する。このとき、指示された検索対象物のＩＤの代わりに、指示された検索対象物の旧位置を情報処理装置１１の検索処理部２４に通知しても構わない。
【００４７】
次に、現在地図表示工程は、先に述べた現在地図表示工程Ｓ３−１〜Ｓ３−３からなり、情報処理装置１１で検索対象物のＩＤもしくは旧位置を受け取り、情報処理装置１１側で検索対象物の現在位置を検索して、この検索対象物の現在位置を印した現在地図を作成し、端末装置１２の表示部３２の画面に検索対象物の現在位置を印した現在地図を表示させる。
【００４８】
この様に本実施形態のシステムでは、検索対象物を旧地図上で指示すると、この検索対象物の属性情報を画面に表示してから、検索対象物の現在位置を印した現在地図を表示するので、検索対象物に関するより多くの情報を利用者に提供することができ、また指示した検索対象物の属性情報を見て、指示に誤りがないかを確認することができる。
【００４９】
尚、検索対象物指示工程Ｓ２Ａ−２において、指示された検索対象物の属性情報を表示部３２の画面に表示させた状態で、属性情報を編集しても構わない。例えば、図３（ａ）に示す様な属性情報４４を表示させた状態で、利用者は、端末装置１２の入力部３１の操作によりポインタＰを移動させて、表示部３２の画面上の属性情報４４における「編集」というボタンを指示する。これに応答して制御処理部３３は、図３（ｂ）に示す様な属性情報の編集画面４５を表示部３２に表示させる。この編集画面４５には、属性情報として検索対象物の「管理書棚名」、「管理部門」、「管理者」、「内容」、「廃棄予定」、「備考」等が表示されている。利用者は、端末装置１２の入力部３１の操作により編集画面４５の「管理書棚名」、「管理部門」、「管理者」、「内容」、「廃棄予定」、「備考」等を書き換え、その後でポインタＰを移動させて、編集画面４５における「登録更新」というボタンを指示する。制御処理部３３は、「登録更新」というボタンが指示されると、編集画面４５の属性情報を検索対象物のＩＤと共に情報処理装置１１の検索処理部２４に通知する。検索処理部２４は、編集画面４５の属性情報及び検索対象物のＩＤを受け取ると、検索対象物のＩＤに対応する属性情報記憶部２３内の属性情報を検索し、この検索した属性情報を編集画面４５の属性情報に更新して属性情報記憶部２３に記憶させる。
【００５０】
次に、本発明の位置検索システムの第３実施形態による処理過程をキーワード入力工程、キーワード検索工程、旧地図表示工程、検索対象物指示工程、及び現在地図表示工程別に順次説明する。尚、第３実施形態の位置検索システムは、図１の構成を有する。
【００５１】
本実施形態のシステムでは、検索対象物指示工程及び現在地図表示工程が図１のシステムと同様であり、キーワード入力工程、キーワード検索工程、及び旧地図表示工程が図１のシステムとは異なる。このため、検索対象物指示工程及び現在地図表示工程の説明を簡単化している。
【００５２】
まず、キーワード入力工程Ｓ１Ｂ−１において、例えば図４（ａ）に示す様なキーワードの入力画面４６を表示部３２に表示させる。
【００５３】
キーワード入力工程Ｓ１Ｂ−２において、利用者は、端末装置１２の入力部３１の操作によりキーワードを入力画面４６に書き込む。例えば、図４（ａ）に示す様に「特許」を入力画面４６に書き込む。制御処理部３３は、このキーワードを情報処理装置１１の検索処理部２４に通知する。
【００５４】
次に、キーワード検索工程Ｓ２Ｂ−１において、検索処理部２４は、キーワードと属性情報記憶部２３内の全ての検索対象物の属性情報を照合し、キーワードに該当する検索対象物の属性情報を抽出して、抽出した検索対象物の属性情報及びＩＤを端末装置１２の制御処理部３３に通知する。例えば、「特許」というキーワードを含む属性情報を抽出して通知する。
【００５５】
キーワード検索工程Ｓ２Ｂ−２において、制御処理部３３は、各検索対象物の属性情報を用いて、図４（ｂ）に示す様な属性情報のリスト４７を作成し、このリスト４７を表示部３２の画面に表示させる。このリスト４７は、各検索対象物の「管理書棚名」、「内容」、「管理者」、及び「部門」を並べたものである。また、このリスト４７には、「旧位置」及び「現在位置」というボタンも配列されている。
【００５６】
次に、旧地図表示工程Ｓ３Ｂ−１において、利用者は、端末装置１２の入力部３１の操作によりポインタＰを移動させて、リスト４７における「旧位置」というボタンを指示して、リスト４７内の各検索対象物の旧位置を示す旧地図の表示を要求する。
【００５７】
旧地図表示工程Ｓ３Ｂ−２において、制御処理部３３は、旧地図の表示要求及びリスト４７内の各検索対象物のＩＤを情報処理装置１１の検索処理部２４に通知する。
【００５８】
旧地図表示工程Ｓ３Ｂ−３において、検索処理部２４は、端末装置１２からの表示要求に応答して、リスト４７内の各検索対象物の旧位置を第１位置情報記憶部２１から読み出し、該各検索対象物の旧位置を用いて、該各検索対象物の旧位置を印した旧地図を作成し、この旧地図を各検索対象物のＩＤと共に端末装置１２の制御処理部３３に通知する。
【００５９】
旧地図表示工程Ｓ３Ｂ−４において、制御処理部３３は、リスト４７内の各検索対象物の旧位置を印した旧地図を表示部３２の画面に表示させる。このとき、旧地図と共に、周辺の情報を情報処理装置１１から端末装置１２に通知し、この周辺の情報を旧地図に表示して良い。
【００６０】
図４（ｃ）は、旧地図を例示している。この旧地図４８は、各検索対象物の旧位置として、各書棚や各机の旧位置を印している。ここでは、リスト４７内の各検索対象物である各書棚Ｃ，Ｅの濃度を濃くすることによりそれらの旧位置を印している。また、周辺の情報として、他の各書棚や各机の以前の配置も表している。
【００６１】
尚、キーワード検索工程Ｓ２Ｂ−１において、キーワードに該当する検索対象物の属性情報及びＩＤを情報処理装置１１から端末装置１２へと通知すると同時に、リスト４７内の各検索対象物の旧位置を情報処理装置１１から端末装置１２へと通知しても構わない。
【００６２】
次に、検索対象物指示工程は、先に述べた検索対象物指示工程Ｓ２Ａ−１〜Ｓ２Ａ−４からなり、端末装置１２の入力部３１の操作により検索対象物を旧地図上で指示し、情報処理装置１１側で検索対象物のＩＤに対応する属性情報を検索して、図４（ｄ）に示す様な端末装置１２側で属性情報４９を表示し、検索対象物のＩＤもしくは旧位置を端末装置１２から情報処理装置１１へと通知する。
【００６３】
次に、現在地図表示工程は、先に述べた現在地図表示工程Ｓ３−１〜Ｓ３−３からなり、情報処理装置１１で検索対象物のＩＤもしくは旧位置を受け取り、情報処理装置１１側で検索対象物の現在位置を検索して、この検索対象物の現在位置を印した現在地図を作成し、図４（ｅ）に示す様な検索対象物の現在位置を印した現在地図５０を端末装置１２の表示部３２の画面に表示させる。
【００６４】
尚、検索対象物指示工程における検索対象物の旧位置の指示、及び現在地図表示工程における検索対象物の現在位置の表示は、リスト上の各検索対象物の全てを対象として一括で行なっても良い。
【００６５】
この様に本実施形態のシステムでは、キーワードに該当する属性情報を検索して、検索された属性情報のリストを表示し、リスト上の属性情報を有する検索対象物の旧位置及び現在位置を表示しているので、キーワードに該当する複数の検索対象物を一度に検索することができ、検索効率を向上させることができる。また、旧地図及び現在地図を比較すれば、リスト上の各検索対象物の移動及び分布を理解することができる。
【００６６】
尚、本発明は、上記各実施形態に限定されるものではなく、多様に変形することができる。例えば、本発明は、検索対象物として、書棚や机を例示しているが、他のものであっても良い。例えば、事務所や工場の模様替えにより設備の位置が変更された場合は、設備を検索対象物とし、元の位置から新たな位置への移動を検索する様にしても構わない。また、住民票を検索対象物とし、役所から他の役所への住民票の移動を検索する様にしても良い。また、人そのものを検索対象物とし、現住所から非難場所への移動を検索したり、学区から学校を導出したり、選挙区から投票所を導出したりすることも可能である。更に、動物を検索対象物とし、分布場所から他の分布場所への移動を検索するようにしても構わない。いずれの場合も、リストを作成してから、リスト上の各検索対象物の全てを対象として、旧地図及び現在地図の表示を一括で行なえば、各検索対象物の移動及び分布を地図上で表わすことができる。
【００６７】
【発明の効果】
以上説明した様に本発明によれば、検索対象物の第１位置を印した地図を表示し、この地図上で検索対象物が指示されると検索対象物の第２位置を検索して、検索対象物の第２位置を印した地図を表示する。このため、検索対象物の第１位置として、以前の位置を第１位置情報記憶手段に記憶させ、検索対象物の第２位置として、現在位置を第２位置記憶手段に記憶させておけば、検索対象物の以前の位置を印した地図上で検索対象物を指示することにより、検索対象物の現在位置を印した地図を表示させることができる。すなわち、検索対象物の位置が変更されても、検索対象物の以前の位置から現在位置を求めることができる。
【００６８】
また、指示された検索対象物の属性情報を検索し表示している。更に、キーワードに該当する属性情報を検索して、検索された属性情報のリストを表示し、リスト上の属性情報を有する検索対象物の第１もしくは第２位置情報を表示しているので、キーワードに該当する複数の検索対象物を一度に検索することができ、検索効率を向上させることができる。
【図面の簡単な説明】
【図１】本発明の位置検索システムの第１実施形態を示すブロック図である。
【図２】（ａ）、（ｂ）、及び（ｃ）は、第１実施形態のシステムにおける表示部の画面に表示された旧地図、現在地図、及び属性情報を示す図である。
【図３】（ａ）及び（ｂ）は、第２実施形態のシステムにおける表示部の画面に表示された属性情報及び編集画面を示す図である。
【図４】（ａ）、（ｂ）、（ｃ）、（ｄ）、及び（ｅ）は、第３実施形態のシステムにおける表示部の画面に表示されたキーワードの入力画面、属性情報のリスト、旧地図、属性情報、及び現在地図を示す図である。
【図５】従来のシステムを示すブロック図である。
【図６】（ａ）及び（ｂ）は、図５のシステムにおける表示部の画面に表示された属性情報のリスト及び地図である。
【図７】（ａ）及び（ｂ）は、図５のシステムにおける表示部の画面に表示された地図及び属性情報である。
【符号の説明】
１１    情報処理装置
１２    端末装置
１３    通信回線
２１    第１位置情報記憶部
２２    第２位置情報記憶部
２３    属性情報記憶部
２４    検索処理部
３１    入力部
３２    表示部
３３    制御処理部
【図１】
2004287568.tif 000003
【図２】
2004287568.tif 000004
【図３】
2004287568.tif 000005
【図４】
2004287568.tif 000006
【図５】
2004287568.tif 000007
【図６】
2004287568.tif 000008
【図７】
2004287568.tif 000009